(57)【要約】【課題】本発明は、保護隔壁の内部に水が溜まりやすい環境の地下タンクおよび配管構成体であっても腐食を防止し得るような構成を得る。【解決手段】鋼製地下タンクの円筒部上面に保護隔壁が設けられ、しかも、保護隔壁により確定された空間内に鋼製の配管が設けられた地下タンク及び配管構成体において、前記保護隔壁により確定された空間内に電解質を存在させ、鋼よりも電位が卑なる金属よりなる犠牲陽極を電解質に接触状態で地下タンクの円筒部上面に設けた。【選択図】  図１
2007269323.tif 000002
【特許請求の範囲】
【請求項１】
鋼製地下タンクの円筒部上面に保護隔壁が設けられ、しかも、保護隔壁により確定された空間内に鋼製の配管が設けられた地下タンク及び配管構成体において、
前記保護隔壁により確定された空間内に電解質を存在させ、鋼よりも電位が卑なる金属よりなる犠牲陽極を電解質に接触状態で地下タンクの円筒部上面に設けたことを特徴とする地下タンク及び配管構成体。
【請求項２】
鋼製地下タンクの円筒部上面に保護隔壁が設けられ、しかも、保護隔壁により確定された空間内に鋼製の配管が設けられた地下タンク及び配管構成体において、
前記保護隔壁により確定された空間内に電解質を存在させ、鋼よりも電位が卑なる金属よりなる犠牲陽極を電解質に接触させた状態で配管に設けたことを特徴とする地下タンク及び配管構成体。
【請求項３】
鋼製地下タンクの円筒部上面に鋼製の保護隔壁が設けられ、しかも、鋼製の保護隔壁により確定された空間内に鋼製の配管が設けられた地下タンク及び配管構成体において、
前記鋼製の保護隔壁により確定された空間内に電解質を存在させ、鋼よりも電位が卑なる金属よりなる犠牲陽極を電解質に接触させた状態で鋼製の保護隔壁に設けたことを特徴とする地下タンク及び配管構成体。
【請求項４】
請求項１乃至３において、電解質は水、土、又は、ゲル状の物質からなる地下タンク及び配管構成体。
【発明の詳細な説明】
【技術分野】
【０００１】
本発明は、例えば、給油所等において用いられる地下タンクおよび配管構成体に関する。
【背景技術】
【０００２】
給油所等に設けられている地下タンク及び配管構成体は次のような構成をとる。地下に埋設される鋼製地下タンクの円筒部上面に矩形の保護隔壁（プロテクタ）が設けられ、この保護隔壁により確定された空間内に鋼製の立ち上がり配管および横引き配管が設けられている。この保護隔壁は、地下タンク回りの土壌の圧力、所謂、土圧から配管接続部を保護するため、また、メンテナンスの容易さを確保するために設けられている。
【０００３】
地下タンクは鋼製であるため、自然腐食や電気的あるいは化学的条件による腐食の脅威にさらされている。腐食の進行により地下タンクに穴があくと、土壌を汚染し、環境破壊を招くことになる。
【特許文献１】特開２００６−０７６６１３
【発明の開示】
【発明が解決しようとする課題】
【０００４】
地下タンクの腐食を防止する方法として、近年、地下タンクの近傍に電極を埋設し、この電極から微弱電流を流し、地下タンクを腐食から保護する外部電源方式や犠牲電極を用いる流電陽極方式の腐食防止手段が採用されつつある。しかし、この方法をもってしても、地下タンクの上部のプロテクタ内部は、保護隔壁で外部と遮断されており、前述の外部電源方式や流電陽極方式の防食効果が期待できない。また、この保護隔壁により確定された空間の下方側は極めて密閉度が高く、内部に水が溜まりやすい。つまり、常時水分に接していることから、腐食促進の環境におかれることから、腐食が起こりやすいというおそれをなしとしない。
そこで、本発明は、このような環境下におかれた地下タンクおよび配管構成体であっても腐食を防止し得る地下タンクおよび配管構成体を提供するものである。
【課題を解決するための手段】
【０００５】
請求項１記載の地下タンクおよび配管構成体は、鋼製地下タンクの円筒部上面に保護隔壁が設けられ、しかも、保護隔壁により確定された空間内に鋼製の配管が設けられた地下タンク及び配管構成体において、
前記保護隔壁により確定された空間内に電解質を存在させ、鋼よりも電位が卑なる金属よりなる犠牲陽極を電解質に接触状態で地下タンクの円筒部上面に設けたことを特徴とするものである。
請求項２に記載の地下タンクおよび配管構成体は、鋼製地下タンクの円筒部上面に保護隔壁が設けられ、しかも、保護隔壁により確定された空間内に鋼製の配管が設けられた地下タンクおよび配管構成体において、
前記保護隔壁により確定された空間内に電解質を存在させ、鋼よりも電位が卑なる金属よりなる犠牲陽極を電解質に接触させた状態で配管に設けたことを特徴とするものである。
請求項３に記載の地下タンクおよび配管構成体は、鋼製地下タンクの円筒部上面に鋼製の保護隔壁が設けられ、しかも、鋼製の保護隔壁により確定された空間内に鋼製の配管が設けられた地下タンクおよび配管構成体において、
前記鋼製の保護隔壁により確定された空間内に電解質を存在させ、鋼よりも電位が卑なる金属よりなる犠牲陽極を電解質に接触させた状態で鋼製の保護隔壁に設けたことを特徴とするものである。
請求項４に記載した地下タンク及び配管構成体は、請求項１乃至３において、電解質を水、土、又は、ゲル状の物質で構成したものである。
【発明の効果】
【０００６】
請求項１の発明によれば、鋼製の地下タンクの保護隔壁に囲まれた円筒部表面（上面）の腐食を防止できる。請求項２、３によれば、配管または、鋼製保護隔壁の腐食の発生を防止できる。
【発明を実施するための最良の形態】
【０００７】
以下、図面を参照して本発明を実施するための最良の形態について説明する。
【実施例１】
【０００８】
図１において、１は、円筒形状の両側が鏡板により閉塞された鋼製地下タンクである（全体図は省略）。地下タンク１の円筒部上面には、鋼製で、水平方向４方の周囲を囲む矩形形状のプロテクタガイド２が溶接にて設けられている。プロテクタガイド２にはプロテクタ３が設けられている。そして、プロテクタ３により確定された内部空間内には、地下タンク１から起立した立ち上がり配管４および横引き配管５が設けられている。
【０００９】
本実施例では、地下タンク１および配管２には配線を介して、鋼よりも電位が卑なる金属、実施例ではマグネシュームの塊からなる犠牲陽極６を設けている。また、プロテクタ３内の空間内には、少なくとも犠牲陽極６が充分埋没する量の電解質で満たしている。通常、電解質としては水を用いているが、必ずしもこれに限定するわけでなく、水分を含んだ土、砂、土砂、あるいは、ゲル状の物質でもよい。
【実施例２】
【００１０】
実施例２は配管に対するリード線の簡便な取り付け構造を示すものである。実施例２を図２乃至図４により説明する。犠牲陽極６に接続されたリード線７の先端には端子８が設けられている。図３の拡大図に示すように、立ち上がり配管４のフランジ４Ａ同士を連結するボルト９、これに螺合されるナット１０、およびナット１０上に別途設けられた上部ナット１１を有し、ナット１０と上部ナット１１との間で端子８をはさんで固定している。これにより、簡便に、しかも、強固に犠牲陽極６を取り付けることができる。図４は平面図を示す。
【実施例３】
【００１１】
実施例３は、地下タンク１、立ち上がり配管４および横引き配管５へ直接犠牲陽極を取り付ける構造を示すものである。図５において、立ち上がり配管４または横引き配管５の何れか、あるいは双方にこの外周の半分を取り巻くように犠牲陽極６を設け、この犠牲陽極６をバンド手段１２で固定したものである。
【実施例４】
【００１２】
実施例４は、地下タンク１へ直接犠牲陽極６を取り付けた例を示す。図６のようにマグネシュームの塊である犠牲陽極６の下面にマグネットの板１３と地下タンク１の表面に密に接触するように金属突起を設けている。図７は地下タンク１の上面に貼り付けた状態を示す。
【実施例５】
【００１３】
前述までの実施例では、地下タンク１、立上げ配管４、横引き配管５に犠牲陽極６を取り付けたものを説明したが、プロテクタ３自体の内面に接続しても良い。これにより、プロテクタ３自体の腐食防止が図れる。
【実施例６】
【００１４】
本実施例ではプロテクタ３内部に犠牲陽極６を設けたが、他の実施例としてプロテクタ内部に電解質を満たすと共に、不溶性電極（チタン製）を設け、この電極を直流電極に接続する。そして、この電極からプロテクタ３内に対して電流を流しつづけることにより地下タンク上面、立ち上がり配管４、横引き配管５、プロテクタ３の腐食発生を防止するようにしても良い。
【産業上の利用可能性】
【００１５】
以上の説明では、給油所の地下タンクへの適用例を示したが、一般給油取扱所や、自家用給油所、工場の地下タンクおよび配管構成体に適用しても良い。
【図面の簡単な説明】
【００１６】
【図１】本発明の第１の実施例を示す断面図である。
【図２】本発明の第２の実施例を示す部分側面図である。
【図３】本発明の第２の実施例を示す一部分拡大側面図である。
【図４】本発明の第２の実施例を示す部分平面図である。
【図５】本発明の第３の実施例を示す部分平面図である。
【図６】本発明の第４の実施例を示す部分平面図である。
【図７】本発明の第４の実施例を示す部分平面図である。
【符号の説明】
【００１７】
１    地下タンク
２    プロテクタガイド
３    プロテクタ
４    立ち上がり配管
５    横引き配管
６    犠牲陽極
７    リード線
８    端子
９    ボルト
１０  ナット
１１  上部ナット
１２  バンド手段
１３  マグネットの板
１４  金属突起
【図１】
2007269323.tif 000003
【図２】
2007269323.tif 000004
【図３】
2007269323.tif 000005
【図４】
2007269323.tif 000006
【図５】
2007269323.tif 000007
【図６】
2007269323.tif 000008
【図７】
2007269323.tif 000009